(57)【特許請求の範囲】
【請求項１】
複数のコンピュータまたはサーバに記録されたデジタル情報を取得し、該取得されたデジタル情報に含まれる文書情報を分析し、訴訟への利用が容易になるように、該文書情報を分別する文書分別システムにおいて、
前記文書情報から所定数の文書を含むデータセットである文書群を抽出する抽出部と、
前記抽出された文書群に対して、ユーザが前記訴訟との関連性に基づいて付与した分別符号を受け付ける分別符号受付部と、
前記分別符号に基づいて、前記抽出された文書群を分別符号ごとに分別し、該分別された文書群において、共通して出現するキーワードを解析し選定する選定部と、
前記選定されたキーワードを前記文書情報から探索する探索部と、
前記探索部の探索結果と前記選定部の解析結果とを用いて、分別符号と文書との関連性を示すスコアを算出するスコア算出部と、
前記スコアの結果に基づいて、前記文書情報に分別符号を付与する自動分別部とを備えたことを特徴とする文書分別システム。
【請求項２】
前記スコア算出部は、前記文書群の中に出現する前記キーワードと、各キーワードの持つ重みづけとによりスコアを算出することを特徴とする請求項１に記載の文書分別システム。
【請求項３】
前記重みづけは、前記キーワードが持つ、前記分別符号ごとにおける伝達情報量をもとに決定することを特徴とする請求項２に記載の文書分別システム。
【請求項４】
前記抽出部は、前記文書情報から文書群をランダムにサンプリングし抽出する機能を備えることを特徴とする請求項１から３のいずれか１項に記載の文書分別システム。
【請求項５】
前記探索部は、前記キーワードを前記分別符号の付与をされていない文書により構成される文書情報から探索するものであって、
前記スコア算出部は、前記探索部の探索結果と前記選定部の解析結果を用いて、分別符号と文書との関連性を示すスコアを算出し、
前記自動分別部は、前記分別符号受付部において前記分別符号の付与を受け付けなかった文書を抽出し、文書情報に対して自動で分別符号を付与する機能を備えることを特徴とする請求項１から４のいずれか１項に記載の文書判別システム。
【請求項６】
前記選定部によって選定されたキーワードを記録するデータベースをさらに備え、
前記探索部は、前記データベースに記録されたキーワードを文書情報から探索することを特徴とする請求項１から５のいずれか1項に記載の文書判別システム。
【請求項７】
前記文書分別システムにおいて、
前記データベースは、更に、前記分別符号と関連性のある関連用語を抽出し、記録する機能を備え、
前記探索部は、更に、前記関連用語を前記文書情報から探索する機能を備え、
前記スコア算出部は、更に、前記探索部が前記関連用語を探索した結果をもとにスコアを算出する機能を備え、
前記自動分別部は、更に、前記関連用語を用いて算出したスコアに基づいて自動で分別符号を付与する機能を備えることを特徴とする請求項６に記載の文書分別システム。
【請求項８】
前記文書分別システムにおいて、
前記データベースは、更に、前記分別符号と相関関係を有するキーワードを事前に記録する機能を備え、
前記自動分別部は、更に、前記文書群中に分別符号と相関関係を有するキーワードを含む文書を探索すると、前記分別符号を決定する機能を備えることを特徴とする請求項７に記載の文書分別システム。
【請求項９】
前記文書分別システムは、更に、
前記文書群に含まれる文書のうち、前記選定部が選定した前記キーワード、前記関連用語及び前記分別符号と相関関係を有するキーワードを含まない文書を選定し、
前記自動分別部の分別対象から前記選定された文書を排除する文書排除部を備えることを特徴とする請求項７又は８に記載の文書分別システム。
【請求項１０】
前記文書分別システムは、更に、
前記選定部の分析結果と、前記スコア算出部の算出したスコアに基づいて
前記選定部が選定したキーワード、前記データベースに記録された分別符号との相関関係を有するキーワード及び関連用語を増減させる学習部を備えることを特徴とする請求項７又は８に記載の文書分別システム。
【請求項１１】
前記抽出部によって抽出された文書群を画面上に表示する文書表示部をさらに備え、
前記分別符号受付部は、前記文書表示部によって表示された文書群に対して、ユーザが訴訟との関連性に基づいて付与した分別符号を受け付けることを特徴とする請求項１から１０のいずれか１項に記載の文書分別システム。
【請求項１２】
複数のコンピュータまたはサーバに記録されたデジタル情報を取得し、該取得されたデジタル情報に含まれる文書情報を分析し、訴訟への利用が容易になるように、該文書情報を分別する文書分別方法において、
前記文書情報から所定数の文書を含むデータセットである文書群を抽出する抽出ステップと、
前記抽出した文書群に対して、ユーザが前記訴訟との関連性に基づいて付与した分別符号を受け付ける分別符号受付ステップと、
前記分別符号に基づいて、前記抽出した文書群を分別符号ごとに分別し、該分別した文書群において、共通して出現するキーワードを解析して選定する選定ステップと、
前記選定したキーワードを前記文書情報から探索する探索ステップと、
前記探索ステップにおいて探索した探索結果と前記選定ステップにおいて解析した解析結果とを用いて、分別符号と文書との関連性を示すスコアを算出するスコア算出ステップと、
前記スコアの結果に基づいて、前記文書情報に分別符号を付与する自動分別ステップとを含むことを特徴とする文書分別方法。
【請求項１３】
複数のコンピュータまたはサーバに記録されたデジタル情報を取得し、該取得されたデジタル情報に含まれる文書情報を分析し、訴訟への利用が容易になるように、該文書情報を分別する文書分別プログラムにおいて、
コンピュータに、
前記文書情報から所定数の文書を含むデータセットである文書群を抽出する抽出機能と、
前記抽出された文書群に対して、ユーザが前記訴訟との関連性に基づいて付与した分別符号を受け付ける分別符号受付機能と、
前記分別符号に基づいて、前記抽出された文書群を分別符号ごとに分別し、該分別された文書群において、共通して出現するキーワードを解析し選定する選定機能と、
前記選定されたキーワードを前記文書情報から探索する探索機能と、
前記探索機能によって探索された探索結果と前記選定機能によって解析された解析結果とを用いて、分別符号と文書との関連性を示すスコアを算出するスコア算出機能と、
前記スコアの結果に基づいて、前記文書情報に分別符号を付与する自動分別機能とを実現させることを特徴とする文書分別プログラム。
【発明の詳細な説明】
【技術分野】
【０００１】
本発明は、文書分別システム及び文書分別方法並びに文書分別プログラムに関するものであって、特に、訴訟に関する文書情報における文書分別システム及び文書分別方法並びに文書分別プログラムに関する。
【背景技術】
【０００２】
従来、不正アクセスや機密情報漏洩などコンピュータに関する犯罪や法的紛争が生じた際に、原因究明や捜査に必要な機器やデータ、電子的記録を収集・分析し、その法的な証拠性を明らかにする手段や技術が提案されている。
【０００３】
特に、米国民事訴訟では、ｅＤｉｓｃｏｖｅｒｙ（電子証拠開示）等が求められており、当該訴訟の原告および被告のいずれもが、関連するデジタル情報をすべて証拠として提出する責任を負う。そのため、コンピュータやサーバに記録されたデジタル情報を証拠として、提出しなければならない。
【０００４】
一方、ＩＴの急速な発達と普及に伴い、今日のビジネスの世界ではほとんどの情報がコンピュータで作成されているため、同一企業内であっても多くのデジタル情報が氾濫している。
【０００５】
そのため、法廷への証拠資料提出のための準備作業を行う過程において、当該訴訟に必ずしも関連しない機密なデジタル情報までも証拠資料として含めてしまうミスが生じやすい。また、当該訴訟に関連しない機密な文書情報を提出してしまうことが問題になっていた。
【０００６】
近年、フォレンジックシステムにおける文書情報に関する技術が、特許文献１乃至特許文献３に提案されている。特許文献１には、利用者情報に含まれる少なくとも１人以上の利用者から、特定の者を指定し、指定された特定の者に関するアクセス履歴情報に基づいて、特定の者がアクセスしたデジタル文書情報のみを抽出し、抽出されたデジタル文書情報の文書ファイルそれぞれが、訴訟に関連するものであるか否かを示す付帯情報を設定し、付帯情報に基づき、訴訟に関連する文書ファイルを出力するフォレンジックシステムについて開示されている。
【０００７】
また、特許文献２には、記録されたデジタル情報を表示し、複数の文書ファイル毎に、利用者情報に含まれる利用者のうちいずれの利用者に関連するものであるかを示す利用者特定情報を設定し、該設定された利用者特定情報を記憶部に記録するように設定し、少なくとも一人以上の利用者を指定し、指定された利用者に対応する利用者特定情報が設定された文書ファイルを検索し、表示部を介して、検索された文書ファイルが、訴訟に関連するものであるか否かを示す付帯情報を設定し、付帯情報に基づき、訴訟に関連する文書ファイルを出力するフォレンジックシステムについて開示されている。
【０００８】
さらに、特許文献３には、デジタル文書情報に含まれる少なくとも１以上の文書ファイルの指定を受け付け、指定された文書ファイルをいずれの言語に翻訳するかの指定を受け付け、指定を受け付けた文書ファイルを、指定を受け付けた言語に翻訳し、記録部に記録されたデジタル文書情報から、指定された文書ファイルと同一の内容を示す共通文書ファイルを抽出し、抽出された共通文書ファイルが、翻訳された文書ファイルの翻訳内容を援用することにより翻訳されたことを示す翻訳関連情報を生成し、翻訳関連情報に基づいて、訴訟に関連する文書ファイルを出力するフォレンジックシステムについて開示されている。
【先行技術文献】
【特許文献】
【０００９】
【特許文献１】特開２０１１−２０９９３０号公報
【特許文献２】特開２０１１−２０９９３１号公報
【特許文献３】特開２０１２−３２８５９号公報
【発明の概要】
【発明が解決しようとする課題】
【００１０】
しかしながら、例えば、特許文献１乃至特許文献３のようなフォレンジックシステムおいては、複数のコンピュータ及びサーバを利用した利用者の膨大な文書情報を収集することになる。
【００１１】
このようなデジタル化された膨大な文書情報を訴訟の証拠資料として妥当であるか否かの分別をする作業は、レビュワーと呼ばれるユーザが目視により確認し、当該文書情報をひとつひとつ分別していく必要があり、多大な労力がかかるという問題があった。
【００１２】
そこで、本発明は、上記事情に鑑み、デジタル化された文書情報を収集した後に、当該文書情報に対して、分別符号を自動で付与することにより、訴訟に利用する文書情報の分別作業の負担軽減を可能とする文書分別システム及び文書分別方法並びに文書分別プログラムを提供することを目的とするものである。
【課題を解決するための手段】
【００１３】
本発明の文書判別システムは、複数のコンピュータまたはサーバに記録されたデジタル情報を取得し、該取得されたデジタル情報に含まれる文書情報を分析し、訴訟への利用が容易になるように分別する文書分別システムに係るものであって、文書情報から所定数の文書を含むデータセットである文書群を抽出する抽出部と、抽出された文書群を画面上に表示する文書表示部と表示された文書群に対して、ユーザが訴訟との関連性に基づいて付与した分別符号を受け付ける分別符号受付部と、分別符号に基づいて、抽出された文書群を分別符号ごとに分別し、該分別された文書群において、共通して出現するキーワードを解析し選定する選定部と、選定したキーワードを記録するデータベースと、データベースに記録されたキーワードを文書情報から探索する探索部と、探索部の探索結果と選定部の解析結果を用いて、分別符号と文書との関連性を示すスコアを算出するスコア算出部と、スコアの結果に基づいて自動で分別符号を付与する自動分別部を備える。
【００１４】
「文書」とは、１つ以上のキーワードを含むデータをいう。例えば電子メール、プレゼンテーション資料、表計算資料、打ち合わせ資料、契約書、組織図、事業計画書等のことである。
【００１５】
「キーワード」とは、ある言語において、一定の意味を持つ文字列のまとまりをいう。例えば、「文書を分別する」という文章からキーワードを選定すると、「文書」「分別」としてもよい。
【００１６】
「分別符号」とは、文書を分類する際に用いる識別子のことをいう。例えば、訴訟で文書情報を証拠として利用する際において、証拠の種類に応じて付与してもよい。
【００１７】
「スコア」とは、ある文書において、特定の分別符号との結びつきの強さを定量的に評価したものをいう。例えばスコア算出部は、文書群中に出現するキーワードと、各キーワードの持つ重みづけとによりスコアを算出してもよい。一例として該重みづけは、キーワードが持つ、各分別符号における伝達情報量をもとに決定することも可能である。
【００１８】
また、本発明の文書判別システムにおける、抽出部は、文書情報から文書群を抽出する際に、ランダムにサンプリングを行ってもよい。
【００１９】
本発明の文書判別システムにおける、探索部は、キーワードを分別符号の付与されていない文書により構成される文書情報から探索する機能を備え、スコア算出部は、探索部の探索結果と選定部の解析結果を用いて、分別符号と文書との関連性を示すスコアを算出し、自動分別部は、分別符号受付部において、分別符号の付与を受け付けなかった文書を抽出し、該文書に対して自動で分別符号を付与する機能を備えることも可能である。
【００２０】
また、本発明の文書分別システムにおいて、データベースは、分別符号と関連性のある関連用語を抽出し、記録する機能を備え、探索部は、関連用語を文書情報から探索する機能を備え、スコア算出部は、探索部が関連用語を探索した結果をもとにスコアを算出する機能を備え、自動分別部は、更に、関連用語を用いて算出したスコアに基づいて自動で分別符号を付与する機能を備えてもよい。
【００２１】
また、本発明の文書分別システムは、文書群に含まれる文書のうち、選定部が選定したキーワード、関連用語及び分別符号と相関関係を有するキーワードを含まない文書を選定し、自動分別部の分別対象から選定された文書を排除する文書排除部を備えてもよい。
【００２２】
本発明の文書分別システムは、更に、選定部の分析結果と、スコア算出部の算出したスコアに基づいて選定部が選定したデータベースに記録された分別符号との相関関係を有するキーワード及び関連用語を増減させる学習部を備えてもよい。
【００２３】
本発明の文書分別方法は、複数のコンピュータまたはサーバに記録されたデジタル情報を取得し、該取得されたデジタル情報に含まれる文書情報を分析し、訴訟への利用が容易になるように分別する文書分別方法に係る本発明おいて、文書情報から所定数の文書を含むデータセットである文書群を抽出し、抽出された文書群を画面上に表示し、表示された文書群に対して、ユーザが訴訟との関連性に基づいて付与した分別符号を受け付け、分別符号に基づいて、抽出された文書群を分別符号ごとに分別し、該分別された文書群において、共通して出現するキーワードを解析し選定し、選定したキーワードを記録し、記記録されたキーワードを文書情報ら探索し、探索結果と解析結果を用いて、分別符号と文書との関連性を示すスコアを算出し、スコアの結果に基づいて自動で分別符号を付与する機能を実現するものである。
【００２４】
本発明の文書分別プログラムは、複数のコンピュータまたはサーバに記録されたデジタル情報を取得し、該取得されたデジタル情報に含まれる文書情報を分析し、訴訟への利用が容易になるように分別する文書分別プログラムに係る本発明において、コンピュータに、文書情報から所定数の文書を含むデータセットである文書群を抽出する機能と、抽出された文書群を画面上に表示する機能と、表示された文書群に対して、ユーザが訴訟との関連性に基づいて付与した分別符号を受け付け、分別符号に基づいて、抽出された文書群を分別符号ごとに分別し、該分別された文書群において、共通して出現するキーワードを解析し選定する機能と、選定したキーワードを記録する機能と、記録されたキーワードを文書情報から探索する機能と、探索結果と解析結果を用いて、分別符号と文書との関連性を示すスコアを算出する機能と、スコアの結果に基づいて自動で分別符号を付与する機能とを実現させるものである。
【発明の効果】
【００２５】
本発明に係る文書判別システム及び文書判別方法並びに文書判別プログラムは、文書情報から所定数の文書を含むデータセットである文書群を抽出し、抽出された文書群を画面上に表示し、表示された文書群に対して、ユーザが訴訟との関連性に基づいて付与した分別符号を受け付け、該分別符号に基づいて、抽出された文書群を分別符号ごとに分別し、該分別された文書群において、共通して出現するキーワードを解析し選定し、選定したキーワードを記録し、記録されたキーワードを文書情報ら探索し、探索結果と解析結果を用いて、分別符号と文書との関連性を示すスコアを算出し、スコアの結果に基づいて自動で分別符号を付与することにより、レビュワーの分別作業の労力の軽減を図ることができる。
【００２６】
また、本発明の文書判別システムにおける、探索部は、キーワードを分別符号の付与されていない文書により構成される文書情報から探索する機能を備え、スコア算出部は、探索部の探索結果と選定部の解析結果を用いて、分別符号と文書との関連性を示すスコアを算出し、自動分別部は、分別符号受付部において、分別符号の付与を受け付けなかった文書を抽出し、該文書に対して自動で分別符号を付与する機能を備えた際において、分別符号受付部において分別符号の付与を受け付けなかった文書情報に対して、レビュワーの分別した規則性を踏まえて、自動で分別符号を付与することを可能とする。
【００２７】
また、本発明は、選定部の分析結果と、スコア算出部の算出したスコアに基づいて選定部が選定したデータベースに記録された分別符号との相関関係を有するキーワード及び関連用語を増減させる学習部を備えた際には、分別回数を重ねる度に分別精度を向上させることが可能である。
【００２８】
また、本発明は、データベースが、分別符号と関連性のある関連用語を抽出及び記録し、探索部が、関連用語を文書情報から探索し、スコア算出部が、探索部が関連用語を探索した結果をもとにスコアを算出し、自動分別部が、関連用語を用いて算出したスコアに基づいて自動で分別符号を付与することと、文書群に含まれる文書のうち、選定部が選定したキーワード、関連用語及び分別符号と相関関係を有するキーワードを含まない文書を選定し、自動分別部の分別対象から選定された文書を排除する際には、文書分別をより効率的に行うことを可能とする。このことは、収集されたデジタル情報の訴訟での利用を容易にする。
【図面の簡単な説明】
【００２９】
【図１】本発明の第１の実施形態に係る文書判別システムの構成図
【図２】本発明の実施形態における選定部での解析結果を示したグラフ
【図３】本発明の実施形態における段階ごとの処理の流れを示したチャート
【図４】本発明の実施形態におけるデータベースの処理フローを示したチャート
【図５】本発明の実施形態における探索部の処理フローを示したチャート
【図６】本発明の実施形態におけるスコア算出部の処理フローを示したチャート
【図７】本発明の実施形態における自動分別部の処理フローを示したチャート
【図８】本発明の実施形態における抽出部の処理フローを示したチャート
【図９】本発明の実施形態における文書表示部の処理フローを示したチャート
【図１０】本発明の実施形態における分別符号受付部の処理フローを示したチャート
【図１１】本発明の実施形態における選定部の処理フローを示したチャート
【図１２】本発明の実施形態における文書排除部の処理フローを示したチャート
【図１３】本発明の実施形態における学習部の処理フローを示したチャート
【図１４】本発明の実施形態における文書表示画面
【発明を実施するための形態】
【００３０】
［第１の実施形態］
以下、本発明の実施の形態を添付の図により説明する。図１に第１の実施形態に係る文書判別システムの構成図を示す。
【００３１】
第１の実施形態は、特許侵害訴訟における文書提出命令に対応する際に、被疑製品である製品Ａに関する文書を分別処理する場合の実施例である。
【００３２】
本発明にかかる文書分別システムは、文書情報から所定数の文書を含むデータセットである文書群を抽出する抽出部１０２と、抽出された文書群を画面上に表示する文書表示部１０３と表示された文書群に対して、レビュワーと呼ばれるユーザが訴訟との関連性に基づいて付与した分別符号を受け付ける分別符号受付部１０４と、分別符号に基づいて、抽出された文書群を分別符号ごとに分別し、該分別された文書群において、共通して出現するキーワードを解析し選定する選定部１０５と、選定したキーワードを記録するデータベース２０１と、データベース２０１に記録されたキーワードを文書情報から探索する探索部１０６と、探索部１０６の探索結果と選定部１０５の解析結果を用いて、分別符号と文書との関連性を示すスコアを算出するスコア算出部１０７と、スコアの結果に基づいて自動で分別符号を付与する自動分別部１０８と、自動分別部１０８の分別対象から選定された文書を排除する文書排除部１０９と、選定部１０５の分析結果及びスコア算出部の算出したスコアに基づいて選定部１０５が選定したキーワード、データベース２０１に記録された分別符号との相関関係を有するキーワード及び関連用語を増減させる学習部１１０を備えている。
【００３３】
第１の実施形態において、該文書分別システムは、抽出部１０２と文書表示部１０３と分別符号受付部１０４と選定部１０５と探索部１０６とスコア算出部１０７と自動分別部１０８と文書排除部１０９と学習部１１０とを備える文書分別装置１０１、データベース２０１及びレビュワーが利用するクライアント装置３０１から構成される。クライアント装置３０１は１つの文書判別システム内に複数備えることも可能である。
【００３４】
文書分別装置１０１及びクライアント装置３０１は、コンピュータまたはサーバであり、各種入力に基づきＣＰＵがＲＯＭに記録されたプログラムを実行することで、各種機能部として動作する。
【００３５】
分別符号は、文書を分類する際に用いる識別子のことをいう。訴訟で文書情報を証拠として利用する際において、証拠の種類に応じて付与してもよい。第１の実施形態では、分別符号として、今回の訴訟において証拠能力をもたない文書を表す「無関係」、証拠として提出する必要があることを表す「関係あり」、及び製品Ａととりわけ関わりがある文書であることを表す「重要」の３つの符号を備えており、このうち「重要」符号が付与される文書を分別するものである。
【００３６】
ここでいう、文書は、訴訟において証拠として提出するデジタル情報のことで、１つ以上の単語を含むデータをいう。例えば、電子メール、プレゼンテーション資料、表計算資料、打ち合わせ資料、契約書、組織図、事業計画書等のことである。また、スキャンデータを文書として扱うことも可能である。この場合、スキャンデータをテキストデータへと変換できるように、文書判別システム内にＯＣＲ（Optical Character Reader）装置を備えてもよい。ＯＣＲ装置によってテキストデータへ変更することで、スキャンデータからキーワード及び関連用語の解析や探索が可能になる。
【００３７】
例えば、第１の実施形態においては、製品Ａに関する打ち合わせについての内容が記載された議事録や電子メール等に「関係あり」符号が付与され、製品Ａの開発計画書や設計書等に「重要」符号が付与され、製品Ａとは無関係の定例会等の資料に「無関係」符号が付与される。
【００３８】
また、キーワードは、ある言語において、一定の意味を持つ文字列のまとまりをいう。例えば、「文書を分別する」という文章からキーワードを選定すると、「文書」「分別」としてもよい。第１の実施形態においては、「侵害」や「訴訟」、「特許公報○○号」といったキーワードが重点的に選定される。
【００３９】
データベース２０１は、電子媒体にデータを記録する記録装置であり、文書分別装置１０１の内部にあってもよいし、例えばストレージ装置として外部に設置してもよい。
【００４０】
文書分別装置１０１、データベース２０１及びクライアント装置３０１は、有線あるいは無線のネットワークを介して接続されている。クラウドコンピューティングの形態で利用することも可能である。
【００４１】
データベース２０１は、各分別符号についてのキーワードを記録しているものである。また、過去の分別処理の結果から、製品Ａと関連性が高く文書中に含まれれば直ちに「重要」符号を付与すると、判断できるキーワードを事前に登録することができる。例えば製品Ａの主要機能名や、「訴訟」、「警告」、「特許公報」のようなキーワードである。また、同様に過去の分別処理の結果から、製品Ａと関連性が高いため「重要」符号が付与された文書群と関連性の高い一般用語を抽出し、関連用語として登録しておくことも可能である。
一度データベース２０１に登録されたキーワード及び関連用語は、学習部１１０による学習結果によって増減される他、手動によっても追加登録・及び削除が可能である。
【００４２】
抽出部１０２は、文書情報から文書群を抽出する際に、ランダムにサンプリングを行うことが可能である。第１の実施形態では、全文書情報のうち２割の文書をランダムに抽出し、レビュワーによる分別対象とする。抽出部１０２が全文書情報から抽出する文書の割合は自由に設定することも可能である。また、抽出元となる対象を全文書情報の一部としてもよい。
【００４３】
文書表示部１０３は、クライアント装置３０１に対して、図１４に示されるような文書表示画面Ｉ１を提示する。文書表示画面Ｉ１は、図１４のように中央に分別対象となる文書が表示し、左側に分別符号が表示するような画面構造で１画面内に分別対象の文書と付与する分別符号を表示することができるものである。文書を表示する箇所と分別符号を表示する箇所がそれぞれ別画面となる画面構造であってもよい。
【００４４】
第１の実施形態において、文書表示画面Ｉ１中の分別符号１は「無関係」符号、分別符号２は「関係あり」符号及び分別符号３は「重要」符号を意味する。また、「関係あり」符号を付与された文書のうち、小分類１は製品Ａの価格と関係がある文書に対して付与され、小分類２は製品Ａの開発スケジュールと関係がある文書に対して付与されるものである。小分類は１つの分別符号に複数備えてもよいし、備えない場合があってもよい。
【００４５】
分別符号受付部１０４は、文書表示部１０３が表示した文書情報のうち、レビュワーが目視により確認し、ひとつひとつ分別符号を決定した文書に対して、該決定に基づいて分別符号を付与し、該文書を分類することが可能である。文書の分類は付与された分別符号によって行うことが可能である。
【００４６】
選定部１０５は、分別符号受付部１０４が分類した文書情報を解析し、「無関係」、「関係あり」及び「重要」のそれぞれの分別符号を付与された文書情報において、共通して頻出するキーワードを該分別符号におけるキーワードとして選定する。
【００４７】
図２は選定部１０５の「重要」符号が付与された文書を解析した結果を示したグラフである。
【００４８】
図２において、縦軸R_hotは、レビュワーによって「重要」符号が付与された全文書のうち、「重要」符号に紐づくキーワードとして選定されたキーワードを含み、かつ「重要」符号が付与された文書の割合を示している。横軸は、レビュワーが分別処理を実施した全文書のうち、選定部１０５によって選定されたキーワードを含む文書の割合を示している。
第１の実施形態において、選定部１０５では、直線R_hot=R_allよりも上部にプロットされるようなキーワードをその分別符号におけるキーワードとして選定することが可能である。
【００４９】
探索部１０６は、対象となる文書中から特定のキーワードを探索する機能を備える。探索部１０６は、選定部１０５で選定されたキーワードあるいはデータベース２０１で抽出された関連用語を含む文書を、探索する際において、分別符号受付部１０４によって分別符号の付与を受け付けなかった文書から構成される文書群を対象として探索するものである。
【００５０】
スコア算出部１０７は、文書群中に出現するキーワードと、各キーワードの持つ重みづけとにより以下の式からスコアを算出することが可能である。スコアは、ある文書において、特定の分別符号との結びつきの強さを定量的に評価したものをいう。
0005567049.tif 000002
【００５１】
自動分別部１０８は、算出されたスコアに基づいて文書情報に自動で分別符号を付与する際において、分別符号受付部１０４において、分別符号の付与を受け付けなかった文書を抽出し、該文書に対して自動で分別符号を付与する機能を備えることも可能である。
【００５２】
文書排除部１０９は、分別対象となる文情報のうち、データベース２０１で事前に登録されたキーワード及び関連用語、並びに選定部１０５において選定されたキーワードのいずれも含まない文書を探索し、該文書を分別対象から事前に排除することが可能である。
【００５３】
学習部１１０は、分別処理の結果をもとに、各キーワードの重みづけを学習し、該学習結果をもとにデータベース２０１に登録されているキーワード及び関連用語の増減を行う。
各キーワードがもつ重みづけは、該キーワードが持つ、各分別符号における伝達情報量をもとに決定することも可能である。該重みづけは以下の式より、分別処理を重ねるごとに学習し、精度を向上させることが可能である。
0005567049.tif 000003
【００５４】
また、学習部では、ニューラルネットを用いて分別結果を重みづけに反映させる学習方法をとることも可能である。
【００５５】
クライアント装置３０１は、レビュワーが操作し、文書情報を確認し付与する分別符号を決定するのに利用する装置である。
【００５６】
第１の実施形態では、図３に示すようなフローチャートに従い、５つの段階で分別処理を行う。
第１段階では、過去の分別処理の結果を用いて、キーワードと関連用語の事前登録を行う。このとき登録されるキーワードは、製品Ａの侵害行為とされている機能の名称や技術の名称など、文書中に含まれると直ちに「重要」符号が付与されるキーワードである。
第２段階では、第１段階で登録されたキーワードを含む文書を全文書情報から探索し、該文書を発見すると「重要」符号を付与する。
第３段階では、第１段階で登録された関連用語を全文書情報から探索し、該関連用語を含む文書のスコアを算出し、分別を行う。
第４段階では、レビュワーによる分別符号の決定を実施した後に、レビュワーの分別した規則性を踏まえ、自動で分別符号の付与を行う。
第５段階では、第１段階乃至第４段階の結果を用いて、学習を行う。
【００５７】
＜第１段階＞
第１段階におけるデータベース２０１の処理フローを、図４を用いて詳細に説明する。データベース２０１で何段階目の処理を行うかを判断し、第１段階の処理を選択する（ＳＴＥＰ１：第１段階）。本段階ではまず、データベース２０１でキーワードの事前登録を行う（ＳＴＥＰ２）。このとき登録されるのは、過去の分別処理の結果から、製品Ａと関連性が高く、文書中に含まれれば、直ちに「重要」符号を付与すると、判断できるキーワードである。また、同様に過去の分別処理の結果から、製品Ａと関連性が高いため「重要」符号が付与された文書群と関連性の高い一般用語を抽出し（ＳＴＥＰ３）、関連用語として登録を行う（ＳＴＥＰ４）。
【００５８】
＜第２段階＞
第２段階におけるデータベース２０１、探索部１０６及び自動分別部１０８の処理フローを、図４、図５及び図７を用いて、詳細に説明する。
【００５９】
データベース２０１で何段階目の処理を行うかを判断し、第２段階の処理を選択する（ＳＴＥＰ１：第２段階）。データベース２０１において、更に事前に登録しておく必要のあるキーワードがある場合（ＳＴＥＰ５：ＹＥＳ）、追加の登録を行う（ＳＴＥＰ６）。追加で登録するキーワードがない場合（ＳＴＥＰ５：ＮＯ）及びＳＴＥＰ６の処理の完了後、探索部１０６で何段階目の処理を行うかを判断し、第２段階の処理を選択する（ＳＴＥＰ１１：第２段階）。本段階で、探索部１０６は、まずデータベース２０１内に第１段階及び第２段階で事前登録されたキーワードがあるか判定を行う（ＳＴＥＰ１２）。事前に登録されたキーワードが存在しない場合（ＳＴＥＰ１２：ＮＯ）、第２段階の処理は終了する。
【００６０】
事前に登録されたキーワードが存在する場合（ＳＴＥＰ１２：ＹＥＳ）、分別対象となる文書情報の中に該キーワードを含む文書がないか、分別対象となる全文書情報に対して探索を行う（ＳＴＥＰ１３）。探索したキーワードが含まれる文書が存在しなかった場合（ＳＴＥＰ１４：ＮＯ）、第２段階の処理を終了する。一方、探索したキーワードが含まれる文書を発見した場合（ＳＴＥＰ１４：ＹＥＳ）、自動分別部１０８に通知を行う（ＳＴＥＰ１５）。
【００６１】
自動分別部１０８では、探索部１０６から該通知を受けた場合（ＳＴＥＰ２９：第２段階、ＳＴＥＰ３０：ＹＥＳ）、該通知の対象となった文書に対して「重要」符号を付与し、処理を終了する。探索部１０６から該通知を受けなかった場合（ＳＴＥＰ２９：第２段階、ＳＴＥＰ３０：ＮＯ）、何も処理を行わない。
【００６２】
＜第３段階＞
第３段階におけるデータベース２０１、探索部１０６、スコア算出部１０７及び自動分別部１０８の処理フローを、図４、図５、図６及び図７を用いて、詳細に説明する。
【００６３】
データベース２０１で何段階目の処理を行うかを判断し、第３段階の処理を選択する（ＳＴＥＰ１：第３段階）。データベース２０１において、更に事前に登録しておく必要のある関連用語がある場合（ＳＴＥＰ７：ＹＥＳ）、追加の登録を行う（ＳＴＥＰ８）。関連用語の追加登録が必要ない場合（ＳＴＥＰ７：ＮＯ）、第３段階の処理を終了する。
【００６４】
ＳＴＥＰ８の処理完了後、探索部１０６で何段階目の処理を行うかを判断し、第３段階の処理を選択する（ＳＴＥＰ１１：第３段階）。本段階で、探索部１０６は、データベース２０１内に第１段階及び第２段階で登録された関連用語があるか判定を行う（ＳＴＥＰ１６）。事前に登録されたキーワードが存在しない場合（ＳＴＥＰ１６：ＮＯ）、第３段階の処理は終了する。
【００６５】
関連用語が存在する場合（ＳＴＥＰ１６：ＹＥＳ）、分別対象となる文書情報の中に該関連用語を含む文書がないか、分別対象となる全文書情報に対して探索を行う（ＳＴＥＰ１７）。探索したキーワードが含まれる文書が存在しなかった場合（ＳＴＥＰ１８：ＮＯ）、第３段階の処理を終了する。一方、探索した関連用語を含む文書を発見した場合（ＳＴＥＰ１８：ＹＥＳ）、スコア算出部１０７に通知を行う（ＳＴＥＰ１９）。
【００６６】
スコア算出部１０７では、探索部１０６から該通知を受けた場合（ＳＴＥＰ２４：第３段階、ＳＴＥＰ２３：ＹＥＳ）、上述の式（１）を用いて、文書中から発見した関連用語の種類と該関連用語が持つ重みづけから各文書のスコアを算出し、自動分別部１０８に通知を行う（ＳＴＥＰ２８）。探索部１０６から関連用語を発見した通知を受けなかった場合（ＳＴＥＰ２４：第３段階、ＳＴＥＰ２３：ＮＯ）、第３段階の処理を終了する。
【００６７】
自動分別部１０８では、スコア算出部１０７からスコアの通知を受けた場合、（ＳＴＥＰ２９：第３段階、ＳＴＥＰ３２：ＹＥＳ）、スコアが閾値を超過したかの判定を文書ごと行い、スコアが閾値を超過した文書には「重要」符号を付与し、スコアが閾値を超過した文書がなかった場合は付与せずに処理を終了する（ＳＴＥＰ３３）。
【００６８】
＜第４段階＞
第３段階におけるデータベース２０１、探索部１０６、スコア算出部１０７、自動分別部１０８、抽出部１０２、文書表示部１０３、分別符号受付部１０４及び選定部１０５の処理フローを、それぞれ図４、図５、図６、図７、図８、図９、図１０及び図１１を用いて、詳細に説明する。
【００６９】
第４段階では、まず、抽出部１０２において、分別対象となる文書情報から、ランダムに文書をサンプリングし、レビュワーが手動で分別符号を付与する対象となる文書群を抽出する（ＳＴＥＰ３４）。文書表示部１０３において、抽出された文書群を、文書表示画面Ｉ１上に表示する（ＳＴＥＰ３５）。
【００７０】
レビュワーは文書表示画面Ｉ１に表示された文書群に対し、各文書の内容を読んだ上で、製品Ａと該文書の内容との間に関連性があるかどうかを判断し、「重要」符号を付与するかどうかを決定する。レビュワーが「重要」符号を付与する文書とは、例えば、製品Ａの先行技術を調査した結果の報告書や、製品Ａの製造は特許侵害であると他者から警告された警告状等である。
レビュワーによって付与された分別符号は、分別符号受付部１０４によって受け付けられ（ＳＴＥＰ３６）、付与された分別符号に応じて文書が分類される（ＳＴＥＰ３７）。
【００７１】
選定部１０５では、ＳＴＥＰ３７で分類された各文書に対し、キーワード解析を行い（ＳＴＥＰ３８）、「重要」符号を付与された文書に共通して出現回数の多いキーワードを選定する（ＳＴＥＰ３９）。
【００７２】
次に、データベース２０１では、ＳＴＥＰ３９で選定部１０５が選定したキーワードが、製品Ａと関係があることを示す「重要」符号に関するキーワードとして未登録であった場合（ＳＴＥＰ１：第３段階、ＳＴＥＰ９：ＹＥＳ）、該キーワードの登録を行う。該キーワードが既に登録されていた場合、何も処理を行わない（ＳＴＥＰ１：第３段階、ＳＴＥＰ９：ＮＯ）。
【００７３】
探索部１０６では、「重要」符号に関するキーワードがデータベース２０１に登録されていなかった場合（ＳＴＥＰ２０：ＮＯ）、第４段階の処理を終了する。該キーワードが登録されている場合（ＳＴＥＰ２０：ＹＥＳ）、抽出部１０２において抽出されレビュワーによって分類された文書を探索対象から省き、残りの各文書を対象として、該キーワードの探索を実行する（ＳＴＥＰ２１）。該探索において、文書中にキーワードを発見した場合（ＳＴＥＰ２２：ＹＥＳ）、スコア算出部１０７に通知を行う（ＳＴＥＰ２３）。
【００７４】
スコア算出部１０７では、キーワード発見の通知を受けた場合（ＳＴＥＰ２７：ＹＥＳ）、上述の式（１）を用いて各文書についてスコアを算出し、自動分別部に通知する。
【００７５】
自動分別部１０８では、スコア算出部１０７から通知を受けると（ＳＴＥＰ３２：ＹＥＳ）、文書ごとにスコアが閾値を超過したかの判定を行い、閾値を超過した文書には「重要」符号を付与し、超過しなかった文書には付与せずに処理を終了する（ＳＴＥＰ３３）。
【００７６】
＜第５段階＞
第５段階での文書排除部１０９及び学習部１１０における処理フローを、それぞれ図１２及び図１３を用いて説明する。
【００７７】
文書排除部１０９において、分別対象となる文書情報のうち、第１から第４段階の処理が未実施の文書群に対して、第１、第２段階において事前に登録されたキーワード、第１、第３段階において登録された関連用語及び第４段階において登録されたキーワードを含む文書があるかどうかの探索を行い、いずれも発見されなかった文書があった場合（ＳＴＥＰ４０：ＹＥＳ）、該文書を分別対象から事前に排除する（ＳＴＥＰ４１）。
【００７８】
学習部１１０では、第１から第４の処理結果をもとに、各キーワードの重みづけを式（２）により学習する。該学習結果をデータベース２０１に反映する（ＳＴＥＰ ４２）。
【００７９】
[その他の実施形態]
本発明のその他の実施形態を説明する。
【００８０】
第１の実施形態では、特に特許侵害訴訟事件においての実施例を説明したが、本発明における文書判別システムは、カルテルや独占禁止法等、ｅＤｉｓｃｏｖｅｒｙ（電子証拠開示）制度を採用しており、文書提出義務がある、あらゆる訴訟において利用することが可能である。
【００８１】
また、第１の実施形態において、レビュワーの分別した規則性を踏まえて自動で分別符号を付与する第４段階の処理を、第１段階乃至第３段階の処理の後に実施していたが、第１段階乃至第３段階の処理を行わず、第４段階の処理のみを単独で行ってもよい。
【００８２】
さらに、最初に抽出部１０２によって、文書情報から一部の文書群を抽出し、該抽出した文書群に対して、まず第４段階の処理を最初に行う。その後、第４段階で登録したキーワードを基に第１段階乃至第３段階の処理を行うという実施形態をとってもよい。
【００８３】
探索部１０６において、第１の実施形態の第４段階では、分別符号受付部１０４において、分別符号が受け付けなかった文書に対して選定部１０５が選定したキーワードの探索を実施していたが、全文書情報を対象として該キーワードの探索を行ってもよい。
【００８４】
自動分別部１０８において、第１の実施形態の第４段階では、分別符号受付部１０４において、分別符号が受け付けなかった文書のみを分別符号の自動付与の対象としていたが、全文書情報を該自動付与の対象としてもよい。
【００８５】
本発明に係る文書判別システム及び文書判別方法並びに文書判別プログラムは、文書情報から所定数の文書を含むデータセットである文書群を抽出し、抽出された文書群を画面上に表示し、表示された文書群に対して、レビュワーが訴訟との関連性に基づいて付与した分別符号を受け付け、該分別符号に基づいて、抽出された文書群を分別符号ごとに分別し、該分別された文書群において、共通して出現するキーワードを解析し選定し、選定したキーワードを記録し、記録されたキーワードを文書情報ら探索し、探索結果と解析結果を用いて、分別符号と文書との関連性を示すスコアを算出し、スコアの結果に基づいて自動で分別符号を付与することにより、レビュワーの分別作業の労力の軽減を図ることができる。
【００８６】
また、本発明の文書判別システムにおける、探索部は、キーワードを分別符号の付与されていない文書により構成される文書情報から探索する機能を備え、スコア算出部は、探索部の探索結果と選定部の解析結果を用いて、分別符号と文書との関連性を示すスコアを算出し、自動分別部は、分別符号受付部において、分別符号の付与を受け付けなかった文書を抽出し、該文書に対して自動で分別符号を付与する機能を備えた際において、分別符号受付部において分別符号の付与を受け付けなかった文書情報に対して、レビュワーの分別した規則性を踏まえて、自動で分別符号を付与することを可能とする。
【００８７】
また、本発明は、選定部の分析結果と、スコア算出部の算出したスコアに基づいて選定部が選定したデータベースに記録された分別符号との相関関係を有するキーワード及び関連用語を増減させる学習部を備えた際には、分別回数を重ねる度に分別精度を向上させることが可能である。
【００８８】
また、本発明は、データベースが、分別符号と関連性のある関連用語を抽出及び記録し、探索部が、関連用語を文書情報から探索し、スコア算出部が、探索部が関連用語を探索した結果をもとにスコアを算出し、自動分別部が、関連用語を用いて算出したスコアに基づいて自動で分別符号を付与することと、文書群に含まれる文書のうち、選定部が選定したキーワード、関連用語及び分別符号と相関関係を有するキーワードを含まない文書を選定し、自動分別部の分別対象から選定された文書を排除する際には、文書分別をより効率的に行うことを可能とする。このことは、収集されたデジタル情報の訴訟での利用を容易にする。
【符号の説明】
【００８９】
１０１            文書分別装置
１０２            抽出部
１０３            文書表示部
１０４            分別符号受付部
１０５            選定部
１０６            探索部
１０７            スコア算出部
１０８            自動分別部
１０９            文書排除部
１１０            学習部
２０１            データベース
３０１            クライアント装置
Ｉ１            文書表示画面
【図１】
0005567049.tif 000004
【図２】
0005567049.tif 000005
【図３】
0005567049.tif 000006
【図４】
0005567049.tif 000007
【図５】
0005567049.tif 000008
【図６】
0005567049.tif 000009
【図７】
0005567049.tif 000010
【図８】
0005567049.tif 000011
【図９】
0005567049.tif 000012
【図１０】
0005567049.tif 000013
【図１１】
0005567049.tif 000014
【図１２】
0005567049.tif 000015
【図１３】
0005567049.tif 000016
【図１４】
0005567049.tif 000017